(57)【特許請求の範囲】
【請求項１】
スパウト本体に検知部を収納し、この検知部で手洗い空間内の手の有無を検知し、この検知信号に基づきバルブ部を開弁し、スパウト本体先端に設けた吐水口部より自動吐水する自動水栓において、スパウト本体を一体構造で形成し、このスパウト本体の先端部と底面に開口部を設け、この先端開口部に設けた吐水口部と上記バルブ部の流出口とを、上記スパウト本体内に挿通され、上記吐水口部を取り付けた吐水継手が挿入された可撓性チューブからなる給水管で接続し、上記吐水継手を上記スパウト本体の上記先端開口部にネジで固定したことを特徴とする自動水栓。
【請求項２】
上記スパウト本体の底面開口部に、スパウト本体を固定するための台座を設けたことを特徴とする請求項１記載の自動水栓。
【発明の詳細な説明】
【０００１】
【発明の属する技術分野】
本発明は自動水栓に関し、特にスパウト本体に検知部を収納し、この検知部で手洗い空間内の手の有無を検知し、この検知信号に基づきバルブ部を開弁し、スパウト本体先端に設けた吐水口部より自動吐水する自動水栓に関する。
【０００２】
【従来の技術】
この種の自動水栓として、例えば実公平７−２６４５１号公報のように、スパウト本体を分割可能としているものが知られている。
【０００３】
【発明が解決しようとする課題】
上記従来例にあっては、分割されたスパウト本体上半部とスパウト本体下半部を組付ける構造になっているため、合わせ目部分の寸法精度が重要となり、特にスパウト本体が曲面で形成されるような場合には、合わせ目の形状が曲線となり加工が困難で且つ時間を多く要すことになる。加えて、合わせ目にラインが発生するので外観上見栄えが良くない上、その合わせ目に隙間ができると塵や埃などが溜まり不衛生であり、しかも僅かな隙間であればその清掃も非常に困難である。
【０００４】
本発明では、スパウト本体の加工が容易であり、且つ、塵や埃などが付着し難く、衛生的で清掃性に優れる自動水栓を提供することを目的とする。
【０００５】
【課題を解決するための手段】
本発明の自動水栓は、手洗い空間内の手の有無を検知し、この検知信号に基づき吐水および止水を行う自動水栓において、スパウト本体を一体構造で形成し、このスパウト本体の先端部と底面に開口部を設け、この先端開口部に設けた吐水口部と上記バルブ部の流出口とを、上記スパウト本体内に挿通され、上記吐水口部を取り付けた吐水継手が挿入された可撓性チューブからなる給水管で接続し、上記吐水継手を上記スパウト本体の上記先端開口部にネジで固定したことを特徴とする。
【０００６】
このように構成することにより、スパウト本体が一体構造であることから複雑な合わせ目の加工が不要となるのでスパウト全体の加工が容易になり、当然加工に要する時間も大幅に短縮されることになる。また、スパウト表面全体に隙間がなくなるので、塵や埃などが溜りにくく、衛生的で、且つ、清掃性も良くなる。加えて、給水管を可撓性チューブとしているため、スパウト本体の内面形状に沿わせて給水管を挿通でき、挿通作業が容易となる。
【０００７】
【発明の実施の形態】
上記吐水口部と上記スパウト本体とをネジで固定することが好ましく、このように構成すれば、吐水の水圧変化や外力により吐水口部がぐらつくことがなく、また、取り外しも容易であるため補修作業も簡単に行うことができる。
【０００８】
上記スパウト本体の底面開口部に、スパウト本体を固定するための台座を設けることが好ましく、このように構成すれば、給水管や検知部をスパウト本体内に収納する際、開口面積がより大きくなるため、組立作業が容易となる。
【０００９】
【実施例】
以下、図１乃至図９に基づき本発明を詳細に説明すると次の通りである。スパウト部１は、洗面器４などの上面に固定されており、洗面器４の下方側にはバルブ本体３０が設けられている。
【００１０】
スパウト本体２は黄銅などの銅合金鋳物にて形成され、底面から前方上斜めに立上った後、先端が前方下斜めを向くような曲線を描くように伸延しており、略その全長にわたって、丸みを帯びた略三角形断面の中空部５を形成しており、三個所の開口部（底部開口部６、先端開口部７、前面開口部８）を設けている。
【００１１】
また、中空部５には前面開口部８より上側に位置するように上部壁９を、前面開口部８の下側に位置するように下部壁１０をそれぞれ前方より後方に突き出し、上部壁９、下部壁１０それぞれには貫通穴１１ａ、１１ｂを一個所設けている。
【００１２】
スパウト本体２の前面開口部８には、光透過性物質で形成された窓部１２を窓部前面１３がスパウト本体前面１４と同曲面を形成するように両面テープなどで接着されている。窓部後面１５は平面でありスパウト本体２の前面開口部内面１６より内側に突出している。
【００１３】
検知部１７はその上下に設けられた検知部貫通穴１８に検知部固定台１９の傘状突起部２０ａ，２０ｂを差込まれることにより拘束されている。
【００１４】
検知部１７を拘束した検知部固定台１９はスパウト本体２の底部開口部６より挿入され、検知部固定台１９の上側の円柱状突起部２１をスパウト本体２の上部壁９の貫通穴１１ａに挿入した後に、検知部固定台１９の下側に設けられた検知部固定台貫通穴２２とスパウト本体２の下部壁１０の貫通穴１１ｂとにタッピンねじ４０をねじ込むことにより検知部１７を拘束した検知部固定台１９をスパウト本体２の内部に固定する。
【００１５】
また、スパウト本体２の中空部５にはバルブ部３０から吐水口部２６へ通水するための塩化ビニルなど可撓性樹脂チューブからなる給水管２５が挿通されており、その先端には吐水口部２６を取付けた吐水継手２７が挿入され、クランプ２８で締め付けられている。給水管２５は、可撓性樹脂チューブに限らず可撓性を有する可撓性チューブであればよい。
【００１６】
吐水継手２７は吐水口部２６が前方下斜めに向くようにスパウト本体２の先端開口部７に２個の小ネジ３８で固定されている。これにより、吐水口部２６または吐水継手２７を回転させることなく、スパウト本体２に固定することができるため、給水管２５が供回りしてスパウト本体２の内面によって傷付けられたり、クランプ２８が緩んだりすることが避けられる。
【００１７】
検知部１７の背面からは、検知部１７に電源を供給するための電源線２９と、検知部１７からの検知信号をバルブ部３０に内蔵している電磁弁（図示せず）に送信するための信号線３１とが出ており、電源線２９は電源アダプター３２と、信号線３１は電磁弁と洗面器４の下でコネクタを介して接続されている。また、給水管２５はバルブ部３０と袋ナット２３を介して接続されている。
【００１８】
スパウト本体２の底面３には、台座３４が４個の小ネジ３９で締結されている。なお、この台座３４には固定軸３３がその略中央部にねじ込まれており、電源線２９、信号線３１、給水管２５を挿通するための異形穴３５が貫通している。固定軸３３に洗面器４の下で座金部３６を通した後、締付け金具３７を締め付けることによりスパウト本体２を洗面器４に固定している。
【００１９】
これにより、スパウト本体２には固定軸が不要となり、その分底部開口部の面積を大きくすることができるため、この台座３４をスパウト本体２に固定する前に、スパウト本体２内に検知部１７を収納し、給水管２５を挿通すれば、挿通作業を容易にすることができる。
【００２０】
本発明は上述の実施例に限定されることなく種々の変形が可能であり、スパウト本体２はブロー成形などの製法による樹脂成形品であってもよい。
【００２１】
また、検知部１７やバルブ部の電磁弁などのエネルギー源として乾電池などのＤＣ電源を用いてもよい。
【００２２】
【発明の効果】
本発明は、以上説明したような形態で実施され、以下に記載されるような効果を奏する。
【００２３】
スパウト本体を一体構造とすることにより、複雑な合わせ目の加工が不要となるのでスパウト全体の加工が容易になり、加工に要する時間も大幅に短縮することができる。また、スパウト表面全体に隙間がなくなるので、塵や埃などが溜りにくく、衛生的で且つ清掃性清掃性をよくすることができる。加えて、給水管を可撓性チューブとしているため、スパウト本体の内面形状に沿わせて給水管を挿通でき、挿通作業を容易にすることができる。
【００２４】
吐水口部とスパウト本体とをネジで固定することにより、吐水の水圧変化や外力により吐水口部がぐらつくことがなく、また、取り外しも容易であるため補修作業も簡単に行うことができる。
【００２５】
スパウト本体の底面開口部に、スパウト本体を固定するための台座を設けることにより、給水管や検知部をスパウト本体内に収納する際、開口面積がより大きくなるため、組立作業をより容易に行うことができる。
【図面の簡単な説明】
【図１】本発明の実施例を示す自動水栓スパウトの縦断面図である。
【図２】同自動水栓の外観側面図である。
【図３】同自動水栓スパウトの外観正面図である。
【図４】図１におけるＰ視図である。
【図５】図１におけるＡ−Ａ断面図である。
【図６】本発明の自動水栓スパウト本体の縦断面図である。
【図７】図６におけるＢ−Ｂ断面図である。
【図８】本発明の自動水栓スパウト本体の外観底面図である。
【図９】同、要部の分解断面図である。
【符号の説明】
１：スパウト部                  ２：スパウト本体
２ａ：スパウト本体上部          ２ｂ：スパウト本体下部
３：底面                        ４：洗面器
５：中空部                      ６：底部開口部
７：先端開口部                  ８：前面開口部
９：上部壁                    １０：下部壁
１１ａ，１１ｂ：貫通穴          １２：窓部
１３：窓部前面                  １４：スパウト本体前面
１５：窓部後面                  １６：前面開口部内面
１７：検知部                    １８：検知部貫通穴
１９：検知部固定台              ２０ａ，２０ｂ：傘状突起部
２１：円柱状突起部              ２２：検知部固定台貫通穴
２３：袋ナット                  ２４：投受光面
２５：給水管                    ２６：吐水口部
２７：吐水継手                  ２８：クランプ
２９：電源線                    ３０：バルブ部
３１：信号線                    ３２：電源アダプター
３３：固定軸                    ３４：台座
３５：異形穴                    ３６：座金部
３７：締付け金具                ３８：小ねじ
３９：小ねじ                    ４０：タッピンねじ
【図１】
0003770010.tif 000002
【図２】
0003770010.tif 000003
【図３】
0003770010.tif 000004
【図４】
0003770010.tif 000005
【図５】
0003770010.tif 000006
【図６】
0003770010.tif 000007
【図７】
0003770010.tif 000008
【図８】
0003770010.tif 000009
【図９】
0003770010.tif 000010